(57)【特許請求の範囲】
【請求項１】
光反応性側鎖型液晶性高分子、または該高分子と低分子化合物の混合物である複屈折誘起材料からなる光学的に等方性の樹脂薄膜に直線偏光成分を含む光線を照射して、前記薄膜中に光架橋反応点を形成してなる潜像焼付け用フィルムを用い、
この潜像焼付け用フィルムに対して、加工をおこなおうとする潜像に相当する自然光透過性の階調を有するフィルタを介して、所定エネルギーの自然光を照射した後、所定の温度に加熱し常温に冷却することを特徴とする、潜像焼付け用フィルムへの潜像の加工方法。
【発明の詳細な説明】
【技術分野】
【０００１】
本発明は、偽造防止フィルム、偽造防止シールに利用される偏光性潜像製造用フィルムとその製造法、および、そのフィルムを用いて作製した偏光性潜像とその製造法に関するものである。
【背景技術】
【０００２】
従来から偽造防止のために、目視では画像を視認することが困難で、ここに何らかの処理により画像を可視化できる潜像が多く利用されてきている。
これら潜像の製造法としては、熱により発色する感熱発色インキを用いて潜像を形成する方法、紫外線の照射により発色するフォトクロミックインキを用いて潜像を形成する方法、磁性インキを用いて潜像を形成する方法、赤外光を吸収するインキを用いて潜像を形成する方法などがこれまでに提案され利用されてきている。しかしながら、これらの方法による潜像では、耐久性が低い、繰り返し表示が困難、情報の書き換えが可能、真偽判定に特定の検出装置が必要になるなどの問題点があった。
【０００３】
このような問題点を解決するために、液晶性分子が配向することによって生じるレタデーションをパターン化する方法を用いて潜像を形成する方法が提案されている。この方法では、特定の検出装置を用いなくとも、偏光板を使用することのみで真偽判定することが可能である。
【０００４】
このようなレタデーションをパターン化したフィルムは、そのまま直視してもパターンは明確に認識できないが、フィルムを２枚の偏光板の間に挟んで観察する、または、フィルムを反射板上に配置して偏光板を介して観察することによってパターンが認識できるようになる。これは、偏光板の吸収軸に対する膜の複屈折誘起方向の成す角度とレタデーションの大きさによって、透過率、または、反射板からの反射光の透過率が変化することを利用している。フィルムを反射板上に配置して偏光板を介して観察する場合には、一般的に、偏光板の吸収軸に対する膜の複屈折誘起方向の成す角度を４５°とすると、観察する光の１／４波長のレタデーションを膜が有するときに最も透過率が小さくなる。このような、レタデーションをパターン化する手法として後述のような製造法が提案されている。
【０００５】
特開平８−４３８０４号公報では、光配向可能な網状組織（ＰＰＮ層）からなる配向層を、反射板上に配向方向が異なる様パターン化して形成し、この配向層上で液晶性化合物を配向させることにより、配向した液晶性化合物によって生じるレタデーションパターンを、偏光板を介して潜像として認識する手法が提案されている。しかしながら、この方法では配向層を形成する工程、液晶化合物を塗布配向させる工程などがあり製造工程が煩雑である。
【０００６】
また、このような方法で銀塩写真のような連続階調の画像表現するには、小さな点のパターンで表す、ハーフトーンのような擬似階調を用いることもできるが、解像度の面で画像の精細度に限界がある。
【０００７】
前述の特開平８−４３８０４号公報の従来技術において、偏光性の潜像で連続階調の画像を表現する場合には、レタデーションの大きさを変えることによって可能となる。この従来技術で、照射領域毎にレタデーションの大きさを変えるにはＰＰＮ層上に塗布する液晶性化合物の膜厚を変える必要があり、製造上非常に煩雑となる。特に、レタデーションを漸次変化させようとする場合には、膜厚も漸次変化させる必要があり、実質上困難であると考えられる。
【０００８】
特開２００４−１６３８５７号公報では、ポリビニルシンナメートのようなエネルギー線に反応する薄膜をラビング処理する工程と、エネルギー線を照射し薄膜表面のエネルギー改質を行なう工程により作製される液晶配向膜を用いることにより、液晶分子のダイレクタをパターン化した液晶セルおよびその製造法が提案されている。この方法では、紫外線硬化型液晶を液晶セル内で配向させ、液晶分子の配向分布を保持したまま重合硬化させることにより、配向状態をパターン化させたフィルムが提案されている。この方法では、エネルギー線の照射量により液晶分子の配向アンカリングエネルギーを制御した基板を用いてＴＮ型液晶セルを作製し、液晶分子のねじれ角を連続的に変化させた液晶素子についての記載がある。このような液晶素子を用いれば、連続階調の偏光性潜像を作製することができるかもしれないが、この方法では液晶分子を２枚の液晶配向膜を形成した基材間で配向させる必要があり、製造上非常に煩雑であり実用的ではない。
【特許文献１】特開平８−４３８０４号公報
【特許文献２】特開２００４−１６３８５７号公報
【発明の開示】
【発明が解決しようとする課題】
【０００９】
このような問題に鑑みて、本発明は、偏光板を介して真偽判定可能な高精細な潜像を比較的簡素な製造方法で製造可能な偏光性潜像製造用フィルム、および、そのフィルムを用いて作製した偏光性潜像を提供しようとするものである。
【課題を解決するための手段】
【００１０】
課題を解決するための本発明の手段は、複屈折誘起材料からなる光学的に等方性の樹脂薄膜に直線偏光成分を含む光線を照射して、前記薄膜中に光架橋反応点を形成してなることを特徴とする潜像焼付け用フィルム、特には、前記複屈折誘起材料は、光反応性側鎖型液晶性高分子、または該高分子と低分子化合物の混合物であり、また、前記潜像焼付け用フィルムへの潜像の加工方法として、加工をおこなおうとする潜像に相当する自然光透過性の階調を有するフィルタを介して、前記潜像焼付け用フィルムに対して、所定エネルギーの自然光を照射した後、所定の温度に加熱し、常温に冷却することを特徴とする、潜像焼付け用フィルムへの潜像の加工方法による。
【００１１】
本発明における偏光性潜像製造用フィルムは、特開２００２−２０２４０９号、特開２００４−１７０５９５号などに提案している複屈折誘起材料を基材フィルムなどに塗布して膜とする工程、次いで直線偏光性の光を膜全面に照射する工程によって製造される。必要に応じて、塗布した複屈折誘起材料は、直線偏光性の光を照射する前に、加熱急冷処理により等方性としておく。
【発明の効果】
【００１２】
偏光性潜像を製造するには、次いでパターンを焼き付けるための光照射を行なう。ここで、照射する光は直線偏光性の光であっても、自然光、更にはそれらの光が混在した光であっても構わない。高圧水銀灯などの自然光を放射するランプを光源として用いる場合には、照射光を偏光に変換せずそのまま用いることができる。露光によりパターンを焼き付けるには、ステップ方式、バッチ方式の工程が必要となり、直交する２つの電界振動方向のうち片方を吸収、反射により損失する偏光変換素子を用いると、生産効率が低下する、装置が煩雑となるなどの問題が生じる。本発明では、自然光によりパターンを焼き付けることも可能なため、この問題を回避でき好適である。
【００１３】
複屈折誘起材料は、直線偏光性の光の照射に続いて、加熱することにより側鎖の分子運動が促進され、直線偏光性の光によって生成した、異方的な光架橋反応点に沿って、未反応側鎖が配向することによって、レタデーションを発現する材料である。このような複屈折誘起材料において、直線偏光性の光照射後、更に光照射すると光架橋反応点の密度が増加する。光架橋反応点の密度が増加すると、側鎖分子の運動が制限されるため加熱しても配向し難くなる。結果として、照射量の増加とともに、レタデーションが小さくなる。
【００１４】
図１は、複屈折誘起材料に直線偏光性の光照射後、更に自然光を照射したときの照射量とレタデーションの関係を実験によって示したものである。
この図１では、複屈折誘起材料の1つの例として、光反応性側鎖型液晶高分子としてポリ｛〔４−シンナモイルオキシエチルオキシ−４´−（６−メタクリロイルオキシヘキシルオキシ）ビフェニル〕０．８５−ｃｏ−（メチルメタクリレート）０．１５｝７８．４重量％、低分子化合物として４，４´−ビス（６−メタクリロイルオキシヘキシルオキシ）ビフェニル１９．６重量％を用い、ここに光増感剤として４，４´−ビス（ジメチルアミノ）ベンゾフェノン２重量％を添加している。この混合物をｏ−ジクロロベンゼンに溶解し、正面レタデーションの無いTACフィルム上に約３μｍの厚みとなるよう塗布し、等方性の膜とし、ここに高圧水銀灯からの紫外光を直線偏光性の光に変換して膜全面に７３０ｍＪ／ｃｍ２照射し、次に、高圧水銀灯からの紫外光を直線偏光性の光に変換せず（自然光のまま）、照射量０から約２０００ｍＪ／ｃｍ２の間で変化させて光照射したときのレタデーションを測定した例である。レタデーションは、照射量と共に低下することから、照射量によってレタデーションを制御可能であることが判る。前述のように、偏光板を介して潜像を認識する方法では、レタデーションの大きさが明暗として認識される。このことにより、高精細な連続階調の偏光性潜像を比較的簡素な製造方法で提供できる。
【００１５】
本発明の偏光性潜像の製造方法においては、透過率の異なる領域を有する露光マスクを用いた場合には、１回の露光でレタデーションの異なる領域を形成することができる。また、透過率が漸次変化する露光マスクを用いればレタデーションを漸次変化させることも可能である。更に、撮影し現像したネガフィルム、リバーサルフィルムをマスクとして用いれば、高精細で複雑な連続階調の偏光性の潜像も作製することができる。高精細な連続階調の偏光性潜像は、汎用技術では製造が難しく、本発明によって偽造防止の観点から高いセキュリティ性を有する偽造防止フィルム、偽造防止シールを提供することが可能となる。
また、本発明の製造方法を用いることにより、マスクを用いることなくレーザー光線の制御によりパターンを焼き付けることができるマスクレス露光でも偏光性の潜像を作製することも可能である
【発明を実施するための最良の形態】
【００１６】
（実施例１）
複屈折誘起材料として、ポリ｛〔４−シンナモイルオキシエチルオキシ−４´−（６−メタクリロイルオキシヘキシルオキシ）ビフェニル〕０．８５−ｃｏ−（メチルメタクリレート）０．１５｝７８．４重量％に４，４´−ビス（６−メタクリロイルオキシヘキシルオキシ）ビフェニル１９．６重量％の混合物を用い、ここに、光増感剤として４，４´−ビス（ジメチルアミノ）ベンゾフェノン２重量％を添加した。これらをシクロヘキサノンに１４重量％の濃度で溶解し、ＰＥＴフィルム上にスピンコーターを用いて約１．４μｍの厚みとなるよう塗布し、加熱急冷処理により等方性の状態にした。このフィルムに高圧水銀灯からの紫外光を、偏光素子を介して直線偏光性に変換し、この塗布膜で異方性が最大となる条件である５５０ｍＪ／ｃｍ2照射し、偏光性潜像製造用フィルムを作製した。この時点では塗布膜に異方性は無かった。
【００１７】
次いで、このフィルム上にマスクとして、写真撮影し現像したリバーサルフィルムを配置し、高圧水銀灯からの紫外光を、偏光素子を介さず、１．９５ｍＷ／ｃｍ2の強度で１０００秒間照射（自然光を照射した）した。用いたリバーサルフィルムは、連続階調の画像が現像された高圧水銀灯からの紫外光の平均透過率が２０％程度のものを用いた。続いて、異方性を発現させるために、前記ポリマー成分の等方相転移温度を十分超える１１０℃まで加熱後、室温まで徐冷した。最後に高圧水銀灯からの紫外光を、偏光素子を介さず、１０００ｍＪ／ｃｍ2照射して配向を固定した。このようにして、ＰＥＴフィルム上に偏光性の潜像を形成した膜を作製した。
【００１８】
このように作製したフィルムを、２枚の偏光板に挟んで観察したところ、マスクとして用いたリバーサルフィルムの画像が透過率の差として認識できた。また、フィルムを反射性の基板の上に配置し、偏光板を介して観察してもリバーサルフィルムの画像が透過率の差として認識できた。これは、基材のＰＥＴフィルムのレタデーションとＰＥＴフィルム上に形成された膜のレタデーションを組み合わせたパターンとして認識できたものである。
【００１９】
更に、このように作製したフィルムの表面に、市販のノンキャリア粘着フィルムを用いて粘着層をラミネートし、更に、この粘着層の面と反射体として利用するアルミホイルを貼合した。次いで、ＰＥＴフィルムを剥離することにより、アルミホイル上に潜像を形成した膜のみを転写した積層体を作製した。図２には、作製した積層体の断面の模式図を示す。２１は、複屈折誘起材料の塗布層を示し、２３は反射板として利用したアルミホイルを示し、２２は粘着層である。領域２ａは、リバーサルフィルムを介して照射したときに遮光されず光照射された領域で、異方性の比較的小さい領域である。この領域は、偏光板Ｐ２を介して、光源Ｌから入射する光をアルミホイルからの反射光として観察した場合に比較的明部となる。領域２ｂは、リバーサルフィルムを介して照射したときに遮光され光照射されなかった領域で、異方性の大きい領域である。この領域は、偏光板Ｐ２を介して、光源Ｌから入射する光をアルミホイルからの反射光として観察した場合に比較的暗部となる。
【００２０】
図３は、作製した積層体３１を偏光板を介さずに観察したときの観察図である。直視では潜像が確認されないことが分かる。図４は、積層体を４１を偏光板Ｐ４を介して観察したときの観察図である。潜像が観察され、明部は比較的異方性の小さい領域、暗部は比較的異方性の大きい領域である。この潜像は、マスクとして用いたリバーサルフィルムの画像を再現しており、連続階調の偏光性潜像を作製できることが確認された。
【図面の簡単な説明】
【００２１】
【図１】光照射の照射量とレタデーションの関係
【図２】実施例１における積層体の断面図
【図３】実施例１における偏光性潜像の直視での観察図
【図４】実施例１における偏光性潜像の偏光板を介しての観察図
【符号の説明】
【００２２】
Ｌ 光源
Ｐ２、Ｐ４ 偏光板
２１ 複屈折誘起材料の塗布層（薄膜）
２２ 粘着層
２３ 反射板
２ａ 異方性の小さい領域
２ｂ 異方性の大きい領域
３１、４１ 積層体
【図１】
0004753188.tif 000002
【図２】
0004753188.tif 000003
【図３】
0004753188.tif 000004
【図４】
0004753188.tif 000005